(57)【要約】【課題】  フレキソ印刷用キャリアシートとフレキソ印刷機の版胴との間に巻回されて使用されるフレキソ印刷用クッション材の端部を保持するための部材であって、フレキソ印刷時にフレキソ印刷用クッション材が版胴の回転による遠心力によって版胴の表面から持ち上がることを防止することができる端部保持部材及び該端部保持部材を備えたフレキソ印刷用クッション材を提供すること。【解決手段】  フレキソ印刷用印刷機の版胴に巻回されて使用されるフレキソ印版用クッション材の端部を保持するための端部保持部材であって、該端部保持部材は、フレキソ印版用クッション材の端部に係止する二つの係止部と該二つの係止部を連結する弾性部とからなることを特徴とするフレキソ印版用クッション材の端部保持部材とする。【選択図】  図１
2005186502.tif 000002
【特許請求の範囲】
【請求項１】
フレキソ印刷用印刷機の版胴に巻回されて使用されるフレキソ印版用クッション材の端部を保持するための端部保持部材であって、該端部保持部材は、フレキソ印版用クッション材の端部に係止する二つの係止部と該二つの係止部を連結する弾性部とからなることを特徴とするフレキソ印版用クッション材の端部保持部材。
【請求項２】
フレキソ印刷用印刷機の版胴に巻回されて使用されるフレキソ印版用クッション材であって、該フレキソ印版用クッション材は平面視矩形状のクッション部材と、端部保持部材とから構成され、
前記端部保持部材は、二つの係止部と該二つの係止部を連結する弾性部とからなり、
前記クッション部材の表面四隅近傍には、前記端部保持部材の係止部と係脱可能な被係止部が設けられていることを特徴とするフレキソ印刷用クッション材。
【請求項３】
前記クッション材には、版胴の表面と係脱可能な係止部が設けられていることを特徴とする請求項２に記載のフレキソ印刷用クッション材。
【請求項４】
フレキソ印刷用印刷機の版胴に巻回されて使用されるフレキソ印版用クッション材であって、該フレキソ印版用クッション材はシート状の基材と該基材の少なくとも一方の面に配設された平面視矩形状のクッション部材と、端部保持部材とから構成され、
前記端部保持部材は、二つの係止部と該二つの係止部を連結する弾性部とからなり、
前記クッション部材の表面四隅近傍には、前記端部保持部材の係止部と係脱可能な被係止部が設けられていることを特徴とするフレキソ印刷用クッション材。
【請求項５】
前記シート状の基材には、版胴の表面と係脱可能な係止部が設けられていることを特徴とする請求項４に記載のフレキソ印刷用クッション材。
【発明の詳細な説明】
【技術分野】
【０００１】
本発明はフレキソ印版用クッション材の端部保持部材及び該端部保持部材を備えたフレキソ印刷用クッション材に関する。
本発明の目的は、フレキソ印刷用キャリアシートとフレキソ印刷機の版胴との間に巻回されて使用されるフレキソ印刷用クッション材の端部を保持するための部材であって、フレキソ印刷時にフレキソ印刷用クッション材が版胴の回転による遠心力によって版胴の表面から持ち上がることを防止することができる端部保持部材及び該端部保持部材を備えたフレキソ印刷用クッション材を提供することにある。
【背景技術】
【０００２】
凸版印刷の一種であるフレキソ印刷は、可撓性の印版を使用するために、印刷対象物表面が多少ザラザラしていても良好に印刷することができることから、段ボール表面の印刷などに主に利用されている。
【０００３】
フレキソ印刷で用いられる印版はフレキソ印刷用キャリアシートの表面に貼り付けられた後、フレキソ印刷機の版胴に巻装されて印刷が行われている。
フレキソ印版を構成する素材としては感光性樹脂印版が使用されている。近年、印版のコスト低減及び印刷の美粧性向上のために印版の厚みを従来に比べて低減し、厚みを低減した分、フレキソ印刷用クッション材を使用して印刷することが行われている。
フレキソ印刷用クッション材としては、例えば、特許文献１及び２で開示されるようなものが知られている。
【０００４】
【特許文献１】特開平１１−１８００６５号公報
【特許文献２】特開２００２−１９３２３号公報
【発明の開示】
【発明が解決しようとする課題】
【０００５】
特許文献１及び２で開示されるようなフレキソ印刷用クッション材は、フレキソ印刷用キャリアシートのフレキソ印版が設けられている面の反対側の面に接着剤などで固定されて使用されるものである。このフレキソ印刷用クッション材はキャリアシートに固定されているために、フレキソ印刷用クッション材をキャリアシート毎に準備しなければならず、印刷コストを上昇させる原因となった。
【０００６】
そこで、本出願人らは、汎用性が高く、印刷コストを低減することができるフレキソ印刷用クッション材を特願２００３−１１８０７２号において提案している。
図７（ａ）で示されるように、特願２００３−１１８０７２号において提案しているフレキソ印刷用クッション材（１００）は、基材（１１０）の一方の面側に設けられた平面視矩形状のシート状クッション部材（１２０）と他方の面側に設けられた係止部（１４０）とから構成される。そして、係止部（１４０）を版胴（３００）に設けられた被係止部（３１０）に係止することにより、このクッション材（１００）は版胴（３００）に巻装される。次いで、このクッション材（１００）を介して、固定具（２３０ａ）を固定部（３２０ａ）で、固定具（２３０ｂ）を固定部（３２０ｂ）でそれぞれ版胴（３００）に固定することで、表面にフレキソ印版（２１０）が貼付されたフレキソ印刷用キャリアシート（２００）が版胴（３００）に巻装される（図７（ｂ）参照）。
このフレキソ印刷用クッション材（１００）は、キャリアシート（２００）の印版（２１０）を設けた面と反対側の面に接着するのではなく、フレキソ印刷機の版胴（３００）に着脱自在に係止して使用するものであるので、複数のキャリアシートのクッション材として使用することができ、しかもクッション材を版胴に装着したままでキャリアシートを交換することができるので、作業の手間を省くことができ、印刷作業を効率良く遂行することができる。
【０００７】
一方、キャリアシート（２００）はフレキソ印刷を行う印刷対象物の形態に応じて、様々な大きさのキャリアシートが存在している。様々な種類のキャリアシートに対応させて汎用性を高めるために、上記フレキソ印刷用クッション材（１００）は、最も大きなキャリアシートの形状に合わせて形成されている。
しかしながら、上記フレキソ印刷用クッション材（１００）は最も大きな形状のキャリアシートの大きさに合わせて形成されているために、小さなキャリアシートを版胴に装着した場合、図８に示すように、キャリアシート（２００）からクッション部材（１２０）の長辺に沿った端部がはみ出てしまう。フレキソ印刷時には版胴（３００）が高速で回転するので、版胴（３００）の回転による遠心力によって、はみ出しているクッション部材（１２０）の端部が数ミリ単位で持ち上がる場合があった。クッション材が数ミリ単位でも持ち上がると、印刷対象物に印刷汚れが発生してしまい、高品質の印刷物が得られない。
【課題を解決するための手段】
【０００８】
本発明は上記課題を解決するためになされた発明であって、請求項１に係る発明は、フレキソ印刷機の版胴に巻回されて使用されるフレキソ印版用クッション材の端部を保持するための端部保持部材であって、該端部保持部材は、フレキソ印版用クッション材の端部に係止する二つの係止部と該二つの係止部を連結する弾性部とからなることを特徴とするフレキソ印版用クッション材の端部保持部材に関する。
請求項２に係る発明は、フレキソ印刷機の版胴に巻回されて使用されるフレキソ印版用クッション材であって、該フレキソ印版用クッション材は平面視矩形状のクッション部材と、端部保持部材とから構成され、前記端部保持部材は、二つの係止部と該二つの係止部を連結する弾性部とからなり、前記クッション部材の表面四隅近傍には、前記端部保持部材の係止部と係脱可能な被係止部が設けられていることを特徴とするフレキソ印刷用クッション材に関する。
請求項３に係る発明は、前記クッション材には、版胴の表面と係脱可能な係止部が設けられていることを特徴とする請求項２に記載のフレキソ印刷用クッション材に関する。
請求項４に係る発明は、フレキソ印刷機の版胴に巻回されて使用されるフレキソ印版用クッション材であって、該フレキソ印版用クッション材はシート状の基材と該基材の少なくとも一方の面に配設された平面視矩形状のクッション部材と、端部保持部材とから構成され、前記端部保持部材は、二つの係止部と該二つの係止部を連結する弾性部とからなり、前記クッション部材の表面四隅近傍には、前記端部保持部材の係止部と係脱可能な被係止部が設けられていることを特徴とするフレキソ印刷用クッション材に関する。
請求項５に係る発明は、前記シート状の基材には、版胴の表面と係脱可能な係止部が設けられていることを特徴とする請求項４に記載のフレキソ印刷用クッション材に関する。
【発明の効果】
【０００９】
本発明に係るフレキソ印版用クッション材の端部保持部材によれば、フレキソ印刷機の版胴の回転による遠心力によって、版胴に巻回されたフレキソ印版用クッション材の端部が持ち上がることを防止することができる。
本発明に係る端部保持部材を備えたフレキソ印刷用クッション材によれば、フレキソ印刷機の版胴の回転によるフレキソ印版用クッション材の持ち上がりを防ぐことができるので、印刷汚れが発生してしまうといった問題を防ぐことができ、高品質の印刷物を低コストで製造することが可能である。
【発明を実施するための最良の形態】
【００１０】
以下、本発明に係るフレキソ印版用クッション材の端部保持部材及び該端部保持部材を備えたフレキソ印刷用クッション材について、図面を参照しつつ詳述する。
図１は、本発明で用いられるフレキソ印刷用クッション材の一例を示す斜視図である。図２及び３は、表面に印版が貼付されたフレキソ印刷用キャリアシートの裏面側にフレキソ印刷用クッション材を配置して、フレキソ印刷用キャリアシートをフレキソ印刷機の版胴に巻装する手順を示した図である。図４は、フレキソ印刷用キャリアシートの裏面側にフレキソ印刷用クッション材を配置して、フレキソ印刷用キャリアシートをフレキソ印刷機の版胴に巻装した状態を示す斜視図である。
【００１１】
本発明で用いられるフレキソ印刷用キャリアシート（２）（以下、単にキャリアシートという場合がある。）は、一般的なフレキソ印刷で使用されているキャリアシートであれば構わない。具体的には、キャリアシート（２）は平面視長方形状であり、二つの短辺に沿って、フレキソ印刷機の版胴（３）に設けられる固定部（３２ａ，３２ｂ）に、キャリアシート（２）を着脱自在に固定することができる固定具（２３）が設けられている（図２又は３の（ａ）参照）。
キャリアシート（２）を構成する素材としては、フレキソ印刷機の版胴（３）に巻装することができるものであれば特に限定されることなく使用することができ、ポリエステル、ポリ塩化ビニル、ポリエチレンテレフタレート、ポリプロピレン等を例示することができる。
【００１２】
キャリアシート（２）の一方の面（以下、単にキャリアシートの表面という場合がある。）側の任意の位置には、所要の文字、図柄、模様などを印刷対象物に印刷することができるフレキソ印版（２１）が配置されている。
フレキソ印版（２１）を構成する素材としては、ゴム版、或いはポリアミド、ポリビニルアルコール、ポリウレタン、スチレン−ブタジエンゴム、スチレン−イソプレンゴム、スチレン−ブタジエン−スチレン、スチレン−イソプレン−スチレン、クロロプレンゴム、エチレンプレンゴム、シリコーンゴム等を感光層に含有する感光性フレキソ版等の従来から使用されているフレキソ印版が用いられる。
【００１３】
短辺に沿って設けられた固定具（２３）によって、キャリアシート（２）は版胴（３）の表面に巻装されるが、キャリアシート（２）の他方の面（以下、単にキャリアシートの裏面という場合がある。）側にはフレキソ印刷用クッション材（１）（以下、単にクッション材という場合がある。）が配置された状態で版胴に巻装される（図２の（ｂ）又は図３の（ａ）参照）。クッション材（１）はフレキソ印刷時の衝撃を緩和する役割を果たす。
【００１４】
本発明で用いられるクッション材（１）の一例を図１に示す。図１に示すクッション材（１）は、平面視長方形状の基材（１１）の両面側に平面視矩形状のクッション部材（１２）が貼り合わされている。そして、基材（１１）の一方の短辺に沿って係止部（１４）が設けられている。
基材（１１）を構成する素材は、版胴（３）に巻回することができるような可撓性と、フレキソ印刷に耐え得る強度を有する素材であれば特に限定されず、例えば、ポリエチレンテレフタレート等の合成樹脂を例示することができる。
基材（１１）に設けられた係止部（１４）は、版胴（３）の表面に設けられた被係止部（３１）又はキャリアシート（２）の裏面側に設けられた被係止部（２２）と係脱自在に係止されることで、クッション材（１）を版胴（３）の表面に着脱自在に巻装又はキャリアシート（２）の裏面側に係脱自在に固定することができる。
【００１５】
クッション部材（１２）を構成する素材は、フレキソ印刷に要求される良好なクッション性を付与することができるものであれば特に限定されず、エラストマー材料を例示することができ、ポリウレタンエラストマーを使用することが好ましい。ポリウレタンエラストマーとしては、例えば、アスカーＣ硬度１５°以上のポリウレタンエラストマーを例示することができる。クッション部材のアスカーＣ硬度が１５°以上であると、フレキソ印刷に要求される良好なクッション性能を得ることができる。
【００１６】
クッション部材（１２）の表面の四隅近傍には、後述するフレキソ印版用クッション材の端部保持部材（４）（以下、単に端部保持部材という場合がある。）の係止部（４１ａ，４１ｂ）と係脱自在に係止される被係止部（１３）が設けられている。クッション部材（１２）の表面に端部保持部材の係止部（４１ａ，４１ｂ）と係止される被係止部（１３）を設けることにより、版胴の回転による遠心力によって、クッション材（１）が版胴（３）の表面から持ち上がることを防止することができる。
クッション部材（１２）の表面に設けられる被係止部（１３）は、端部保持部材の係止部（４１ａ，４１ｂ）と係脱自在に係止することができるものであれば特に限定されないが、例えば、面接合ファスナー、スナップ、ホックなどを例示することができる。
【００１７】
尚、図１のクッション材（１）では、クッション部材（１２）はシート状の基材（１１）の両面側に設けられているが、どちらか一方の面側にのみ設けても構わない。また図１のクッション材（１）では、基材（１１）の両面側に係止部（１４）が設けられているが、どちらか一方の面側にのみ設けても構わない。
また図１のクッション材（１）では、基材（１１）の両面側に貼り合わされるクッション部材（１２）として、異なる種類（例えば、異なる弾性率）のクッション部材（１２）を貼り合せることにより、印刷対象物の種類に応じて、クッション部材（１２）を使い分けることができる。
【００１８】
クッション材（１）は、図２の（ａ）に示すように、キャリアシート（２）の裏面側に係止された後に、図２の（ｂ）に示すように版胴（３）に巻装される。或いは、図３に示すように、クッション材（１）を版胴（３）の表面に係止した後に、このクッション材（１）を介してキャリアシート（２）を版胴（３）に巻装しても構わない。
つまり、クッション材（１）をキャリアシート（２）の裏面側に配置して版胴（３）に巻装する方法としては、キャリアシート（２）の裏面側にクッション材（１）を係止することができる被係止部（２２）を設けて、キャリアシート（２）の裏面側にクッション材（１）を係止した状態で、版胴（３）に巻装する方法や、版胴（３）表面の所要の位置にクッション材（１）を係止することができる被係止部（３１）を設け、この被係止部（３１）によって、まずクッション材（１）を版胴（３）の表面に巻装した後、このクッション材（１）を介して、キャリアシート（２）を版胴（３）の表面に巻装する方法などを例示することができる。
【００１９】
図４は、キャリアシートがクッション材を介して版胴に巻装されている状態を示す斜視図（図２の（ｃ）又は図３の（ｂ）のＡ方向矢視図）である。
クッション材（１）の短辺の長さとキャリアシート（２）の短辺の長さが略等しい場合は、クッション材（１）の端部はキャリアシート（２）によって覆われることとなり、版胴（３）の回転による遠心力によってクッション材（１）が持ち上がるという現象は発生しない。
一方、図４に示すように、クッション材（１）の短辺の長さがキャリアシート（２）の短辺の長さよりも長い場合は、クッション材（１）の長辺に沿った端部がキャリアシート（２）からはみ出てしまう。この状態では、版胴（３）の回転による遠心力によってクッション材（１）の端部が持ち上がるという現象が発生する場合がある。
特に、図１に示したクッション材（１）のように、版胴（３）に係止されて使用されるクッション材（１）の場合、様々な形態のキャリアシート（２）と適合するように、通常、最も大きなキャリアシート（２）の形態に合わせて成形されている。従って、幅の小さなキャリアシート（２）を使用した場合、クッション材（１）の長辺に沿った端部がキャリアシート（２）に被覆されないために、特にキャリアシート（２）の四隅端部が、版胴（３）の回転による遠心力によって版胴（３）表面から持ち上がるという現象が発生することがある。
【００２０】
本発明では、版胴（３）の回転による遠心力によって、クッション材（１）の四隅端部が持ち上がることを防止するために、上述したように、本発明で用いられるクッション材（１）には、クッション部材（１２）の表面の四隅近傍に被係止部（１３）が設けられる。そして、この被係止部（１３）に端部保持部材（４）の係止部（４１ａ，４１ｂ）を係止することで、版胴（３）の回転による遠心力によってクッション材（１）が持ち上がることを防止することができる。
図５及び６は、版胴の表面に装着されたクッション材の端部に、本発明に係る端部保持部材を装着する状態を示した図である。
【００２１】
本発明に係る端部保持部材（４）は、クッション材（１）の端部に設けられた被係止部（１３）と係止する二つの係止部（４１ａ，４１ｂ）と、この二つの係止部（４１ａ，４１ｂ）を連結する弾性部（４２）とから構成される。
係止部（４１ａ，４１ｂ）は、クッション部材（１２）の表面の四隅近傍に設けられた被係止部（１３）と係脱自在に係合することができるものであれば特に限定されず、例えば、面接合ファスナー、スナップ、ホックなどを例示することができる。
【００２２】
弾性部（４２）は、ゴム状弾性を有するものであれば特に限定されず、天然ゴム、シリコーンゴム、ポリウレタン、クロロプレンゴムなどを例示することができる。
弾性部（４２）の形態は特に限定されず、通常の場合、所要の厚みを有する平面視長方形状とされ、その短辺に沿って係止部（４１ａ，４１ｂ）が設けられている。また長辺の長さは、版胴（３）に装着された状態のクッション材（１）の表面の被係止部（１３）と、この被係止部（１３）と同じ側の長辺に設けられる被係止部（１３）とを係止することができる長さを有していればよい。
【００２３】
端部保持部材（４）は、クッション材（１）の端部を保持することによって、版胴（３）が高速で回転した場合でも、版胴（３）が回転することによる遠心力でクッション材が持ち上がらないように保持することができる。これによって、高品質の印刷物を低コストで製造することができる。
【図面の簡単な説明】
【００２４】
【図１】本発明で用いられるフレキソ印刷用クッション材の一例を示す斜視図である。
【図２】フレキソ印刷用キャリアシートとフレキソ印刷用クッション材とを、フレキソ印刷機の版胴に巻装する手順を示した図である。（ａ）はキャリアシートの裏面側に、フレキソ印刷用クッション材を装着する状態を示した図であり、（ｂ）は裏面側にフレキソ印刷用クッション材を装着したキャリアシートをフレキソ印刷機の版胴に巻装する状態を示した図であり、（ｃ）は裏面側にフレキソ印刷用クッション材を装着したキャリアシートをフレキソ印刷機の版胴に巻装した状態を示した図である。
【図３】フレキソ印刷用キャリアシートとフレキソ印刷用クッション材とを、フレキソ印刷機の版胴に巻装する手順を示した図である。（ａ）はフレキソ印刷機の版胴の表面にフレキソ印刷用クッション材を巻装した後に、フレキソ印刷用キャリアシートを、フレキソ印刷用クッション材を介して版胴の表面に巻装する手順を示した図であり、（ｂ）はフレキソ印刷用クッション材とフレキソ印刷用キャリアシートとをフレキソ印刷機の版胴に巻装した状態を示した図である。
【図４】図２の（ｃ）又は図３の（ｂ）のＡ方向矢示図である。
【図５】版胴の表面に巻装されたクッション材の端部に、本発明に係る端部保持部材を装着する手順を示した図である。
【図６】版胴の表面に巻装されたクッション材の端部に、本発明に係る端部保持部材を装着する状態を示した図である。
【図７】従来のフレキソ印刷用クッション材をフレキソ印刷機の版胴に装着する手順を示した図であり、（ａ）はフレキソ印刷機の版胴の表面に従来技術に係るフレキソ印刷用クッション材を巻装した後に、フレキソ印刷用キャリアシートを、フレキソ印刷用クッション材を介して版胴の表面に巻装する手順を示した図であり、（ｂ）はフレキソ印刷用クッション材とフレキソ印刷用キャリアシートとをフレキソ印刷機の版胴に巻装した状態を示した図である。
【図８】図７の（ｂ）のＡ方向矢視図である。
【符号の説明】
【００２５】
１      クッション材
１１    基材
１２    クッション部材
１３    被係止部
１４    係止部
２      キャリアシート
２１    フレキソ印版
２２    被係止部
２３    固定具
３      フレキソ印刷機の版胴
３１    被係止部
３２ａ  固定部
３２ｂ  固定部
４      端部保持部材
４１ａ  係止部
４１ｂ  係止部
４２    弾性部
【図１】
2005186502.tif 000003
【図２】
2005186502.tif 000004
【図３】
2005186502.tif 000005
【図４】
2005186502.tif 000006
【図５】
2005186502.tif 000007
【図６】
2005186502.tif 000008
【図７】
2005186502.tif 000009
【図８】
2005186502.tif 000010